(57)【要約】【課題】主に、玄関枠取付部材に対する防水構造を簡略化すると共に、防水テープを壁パネルと外装材との重なり部分の内側と外側とに跨る広い範囲に設置することなどができるようにする。【解決手段】玄関ドア取付開口部１５を有する壁パネル１１に、玄関ドア取付開口部１５を残して外装材２２を取付け、外装材２２を取付けた壁パネル１１の玄関ドア取付開口部１５に玄関枠取付部材５２を防水状態で取付ける玄関枠取付部の防水施工方法に関する。  壁パネル１１に、玄関ドア取付開口部１５の内側へ、その一部がハミ出すように防水テープ２１を貼り付ける。その後、壁パネル１１に外装材２２を取付けて、外装材２２で、防水テープ２１の壁パネル１１に貼り付けた部分２１ａを覆い隠すようにする。【選択図】図４
2019035303.tif 000002
【特許請求の範囲】
【請求項１】
玄関ドア取付開口部を有する壁パネルに、前記玄関ドア取付開口部を残して外装材を取付け、該外装材を取付けた前記壁パネルの前記玄関ドア取付開口部に玄関枠取付部材を防水状態で取付ける玄関枠取付部の防水施工方法において、
前記壁パネルに、前記玄関ドア取付開口部の内側へ一部がハミ出すように防水テープを貼り付け、その後、前記壁パネルに前記外装材を取付けて、該外装材で、前記防水テープの前記壁パネルに貼り付けた部分を覆い隠すことを特徴とする玄関枠取付部の防水施工方法。
【請求項２】
請求項１に記載の玄関枠取付部の防水施工方法において、
前記防水テープに、幅方向に分割可能なミシン目を有する離型紙が貼着されたものを使用すると共に、前記防水テープは、前記ミシン目の片側の離型紙を剥がした状態で、該離型紙を剥がした部分を前記壁パネルに貼り付けることを特徴とする玄関枠取付部の防水施工方法。
【請求項３】
請求項１または請求項２に記載の玄関枠取付部の防水施工方法において、
前記外装材は、前記玄関ドア取付開口部に対し開口縁部を外側へズラした状態で前記壁パネルに取付けることを特徴とする玄関枠取付部の防水施工方法。
【請求項４】
請求項１ないし請求項３のいずれか１項に記載の玄関枠取付部の防水施工方法において、
前記玄関ドア取付開口部の下部に位置する前記壁パネルの床根太を切断した後で、前記玄関ドア取付開口部に前記壁パネルと面一となるように前記玄関枠取付部材を取付け、該玄関枠取付部材に前記防水テープの残りの部分を前記壁パネルに貼り付けた部分と面一に貼り付けることを特徴とする玄関枠取付部の防水施工方法。
【請求項５】
玄関ドア取付開口部を有する壁パネルに、前記玄関ドア取付開口部を残して外装材が取付けられ、該外装材が取付けられた前記壁パネルの前記玄関ドア取付開口部に玄関枠取付部材が防水状態で取付けられる玄関枠取付部構造において、
前記壁パネルに、前記玄関ドア取付開口部の内側へ一部がハミ出すように防水テープが貼り付けられ、該防水テープの前記壁パネルに貼り付けた部分が前記外装材で覆い隠され、前記玄関ドア取付開口部に前記壁パネルと面一な面を有する前記玄関枠取付部材が取付けられ、該玄関枠取付部材に前記防水テープの残りの部分が前記壁パネルに貼り付けた部分と面一に貼り付けられていることを特徴とする玄関枠取付部構造。
【発明の詳細な説明】
【技術分野】
【０００１】
この発明は、玄関枠取付部の防水施工方法および玄関枠取付部構造に関するものである。
【背景技術】
【０００２】
戸建住宅などの建物には、出入口となる玄関が設けられている。このような玄関では、玄関ドアを建物に設置するための玄関枠の周辺を防水する必要がある（例えば、特許文献１参照）。
【先行技術文献】
【特許文献】
【０００３】
【特許文献１】特開２０１１−２１４３１９号公報
【発明の概要】
【発明が解決しようとする課題】
【０００４】
上記特許文献１に記載された玄関枠取付部の防水施工方法では、外装材を取付けた壁下地材に設けられた玄関ドア取付開口部に対し、玄関枠取付部材および玄関枠を嵌め込むようにしていた。この際、壁下地材に対して外装材の端部を玄関ドア取付開口部の内側へ突出させることによって入隅部を形成し、この入隅部へ、玄関枠取付部材および玄関枠に一体に取付けられた防水シールを設置することで玄関枠周辺のシールを行うようにしていた。そのため、シール部分の構造が複雑になっていた。また、防水シールは、壁下地材と外装材とが重なっている部分よりも外側に位置しているため、防水シールによるシール範囲が狭くなっていた。
【０００５】
そこで、本発明は、主に、上記した問題点を解決することを目的としている。
【課題を解決するための手段】
【０００６】
上記課題を解決するために、本発明は、玄関ドア取付開口部を有する壁パネルに、前記玄関ドア取付開口部を残して外装材を取付け、該外装材を取付けた前記壁パネルの前記玄関ドア取付開口部に玄関枠取付部材を防水状態で取付ける玄関枠取付部の防水施工方法において、前記壁パネルに、前記玄関ドア取付開口部の内側へ一部がハミ出すように防水テープを貼り付け、その後、前記壁パネルに前記外装材を取付けて、該外装材で、前記防水テープの前記壁パネルに貼り付けた部分を覆い隠すことを特徴とする。
【発明の効果】
【０００７】
本発明によれば、上記構成によって、玄関枠取付部材に対する防水構造を簡略化すると共に、防水テープを壁パネルと外装材との重なり部分の内側と外側とに跨った広い範囲に設置することなどができるようになる。
【図面の簡単な説明】
【０００８】
【図１】本実施の形態の玄関枠取付部の防水施工方法にかかる、壁パネルの玄関ドア取付開口部に対し防水テープを縦方向に貼り付ける状態を示す図であり、（ａ）は壁パネルの斜視図、（ｂ）は（ａ）のＡ−Ａ線に沿った断面図、（ｃ）は（ａ）のＢ部分を拡大した図である。
【図２】図１の壁パネルの玄関ドア取付開口部に対し防水テープを横方向に貼り付ける状態を示す図であり、（ａ）は壁パネルの斜視図、（ｂ）は（ａ）のＣ−Ｃ線に沿った断面図、（ｃ）は（ａ）のＤ部分を拡大した図である。
【図３】（ａ）は防水テープの斜視図、（ｂ）は防水テープを引き出して離型紙を半分剥がしている状態を示す斜視図である。
【図４】（ａ）は壁パネルに外装材を取付けた状態を示す部分拡大斜視図であり、（ｂ）は（ａ）のＥ−Ｅ線に沿った断面図である。
【図５】床根太を切断する状態を示す、図４（ｂ）と同様の部分の断面図である。
【図６】玄関ドア取付開口部に玄関枠取付部材を取付けた状態を示す斜視図である。
【図７】図６の部分的な横断面図である。
【図８】玄関枠取付部材の面を揃えて設置する状態を示す、図２（ｂ）と同様の部分の縦断面図である。
【図９】玄関ドア取付開口部に玄関枠を設置する状態を示す斜視図である。
【図１０】図９の部分的な横断面図であり、（ａ）は玄関枠固定前の状態、（ｂ）は玄関枠固定後の状態である。
【図１１】玄関の構造を示す横断面図である。
【図１２】図１１の部分拡大図である。
【発明を実施するための形態】
【０００９】
以下、本実施の形態を、図面を用いて詳細に説明する。
図１〜図１２は、この実施の形態を説明するためのものである。
【実施例１】
【００１０】
＜構成＞以下、構成について説明する。
【００１１】
戸建住宅などの建物に、出入口となる玄関を設ける。玄関を、玄関枠に玄関ドアを開閉可能に取付けたものとする。玄関枠は玄関枠取付部材を用いて建物に取付ける。このような玄関における玄関枠や玄関枠取付部材の周辺に対して防水を施す。
【００１２】
ここで、建物は、例えば、ユニット建物やその他の建物などとすることができる。ユニット建物は、予め工場で製造した複数の建物ユニットを建築現場へ搬送して、建築現場で組み立てることで短期間のうちに建物を構築できるようにしたものである。建物ユニットには、木質系のものと鉄骨系のものとが存在している。このうち、木質系の建物ユニットは、パネルによって構成される。
【００１３】
例えば、木質系の建物ユニットは、主に、天井パネルと床パネルと壁パネルとを組み合わせて構成され、内部に直方体状などの空間を形成し得るようにしたものなどとされる。玄関枠は、玄関ドアを取付けるための枠体である。玄関枠取付部材は、玄関枠を建物や建物ユニットを構成するパネルなどに設置固定するための部材である。玄関は、図１に示すような壁パネル１１に設けられる。
【００１４】
ここで、壁パネル１１は、矩形状に組んだ枠材１２の表面に面材１３を貼り付けたものなどとされる。壁パネル１１は、横に寝かせた状態で作ることができる。面材１３は枠材１２よりも下側に若干延長するように設置しても良い。面材１３の表面には防水シート１４などを取付けても良い。
【００１５】
玄関を設ける壁パネル１１には、内側に玄関ドア取付開口部１５が設けられる。玄関ドア取付開口部１５は、左右の柱部（縦材１５ａ）と、柱部の上端部間に架け渡すように設置されたまぐさ部（横材１５ｂ）と、枠材１２の下部に位置する床根太１２ａの一部とで矩形状に構成される。なお、玄関ドア取付開口部１５の内側となる部分には、面材１３や防水シート１４は設けないようにする。
【００１６】
また、面材１３の外表面には玄関ドア取付開口部１５の縁部に沿って胴縁１６ａ，１６ｂなどの下地材を設置することができる。例えば、胴縁１６ａ，１６ｂは、直入玄関などの場合に取付けるようにしている。また、引込玄関などの場合には、胴縁１６ａ，１６ｂは、特に取付けなくても良い。玄関ドア取付開口部１５では、左右の縦材１５ａの面（内側面）に対して、面材１３や胴縁１６ａは、その縁部が面一となるように設置している（図１（ｂ））。また、玄関ドア取付開口部１５の横材１５ｂの面（下側面）に対して、面材１３や胴縁１６ｂは、その縁部（下縁部）が面一となるように設置している（図２（ｂ））。
【００１７】
そして、玄関枠取付部の防水施工方法は、玄関ドア取付開口部１５を有する壁パネル１１に対し、後述するように、玄関ドア取付開口部１５を残して外装材を取付ける工程と、外装材を取付けた壁パネル１１の玄関ドア取付開口部１５に玄関枠取付部材を防水状態で取付ける工程とを行うものなどとなる。
【００１８】
この実施例では、玄関枠取付部の防水施工方法は、以下のようにする。なお、図１１は、最終的に組み立てられた玄関の構造を示す横断面図であり、以下の説明では併せて参照する。
【００１９】
（１）玄関枠取付部の防水施工方法は、図１（図２）に示すように、壁パネル１１に、玄関ドア取付開口部１５の内側へ、その一部がハミ出すように防水テープ２１（図３参照）を貼り付ける（防水テープ貼り付け工程）。その後、図４に示すように、壁パネル１１に外装材２２を取付けて、外装材２２で、防水テープ２１の壁パネル１１に貼り付けた部分２１ａを覆い隠すようにする（外装材取付け工程）。
【００２０】
ここで、防水テープ２１には、広幅のブチルテープなどの住宅用の防水材を用いることができる。先ず、図１に斜線を付して示すように、玄関ドア取付開口部１５の縦材１５ａに沿って防水テープ２１を縦方向に貼り付けるようにする。防水テープ２１は、玄関ドア取付開口部１５の左右に位置する縦材１５ａの部分にそれぞれ貼り付けるようにする。この際、防水テープ２１が、玄関ドア取付開口部１５の内側へハミ出すように、防水テープ２１のほぼ半幅程度の部分２１ａ（先付部分）を、壁パネル１１の面材１３の表面や、胴縁１６ａがある場合には胴縁１６ａの表面に、縦方向に貼り付けるようにする（図１（ｂ））。
【００２１】
この時貼り付けなかった残りの部分２１ｂ（後付部分）は、後工程で使用する。なお、壁パネル１１は、上記したように、面材１３に胴縁１６ａ，１６ｂが取付けられていないものと、面材１３に胴縁１６ａ，１６ｂが取付けられているものとを含むものとする。
【００２２】
縦方向の防水テープ２１の上端部は、図１（ｃ）に示すように、玄関ドア取付開口部１５の横材１５ｂまたは（横材１５ｂの部分に取付けた）胴縁１６ｂのほぼ上縁部の位置まで延長する。延長した部分は、その全面を壁パネル１１の面材１３や胴縁１６ｂの表面に貼り付けるようにする。この際、防水テープ２１にシワや浮きなどの貼着不良が生じないように、ローラーなどを用いて十分に圧着して縦方向の防水テープ２１全体を平らにする。なお、防水テープ２１は、表面に保護用の透明シートなどを有するものなどを用いても良い。
【００２３】
次に、図２に斜線を付して示すように、玄関ドア取付開口部１５の上側の横材１５ｂに沿って防水テープ２１を横方向に貼り付けるようにする。この際、横方向の防水テープ２１は、縦方向の防水テープ２１と同様に、玄関ドア取付開口部１５の内側（下側）へハミ出すように貼り付けても良い。但し、この実施例では、横方向の防水テープ２１は、下側へハミ出さないように、防水テープ２１の全幅を、壁パネル１１の面材１３の表面や胴縁１６ｂの表面に横方向へ貼り付けるようにしている（図２（ｂ））。
【００２４】
この横方向の防水テープ２１の左右の両端部は、図２（ｃ）に示すように、縦方向の防水テープ２１の上端部に重ねて貼り付けるようにする。この際、上記と同様に、防水テープ２１にシワや浮きなどの貼着不良が生じないように、ローラーなどを用いて十分に圧着して横方向の防水テープ２１全体を平らにする。
【００２５】
外装材２２は、外壁パネル材などのことである。外装材２２は、壁パネル１１を寝かせた状態で壁パネル１１の外表面に取付けるようにする。なお、壁パネル１１を垂直に立たせて建物ユニットを組み立て可能な状態にした後、または、建物ユニットを組み立てた後に、建物ユニットの屋外側の面に対して外装材２２を取付けるようにしても良い。
【００２６】
（２）図３（ａ）（ｂ）に示すように、防水テープ２１には、幅方向３１に分割可能なミシン目３２を有する離型紙３３が貼着されたものを使用しても良い。防水テープ２１は、ミシン目３２の片側の離型紙３３を剥がした状態で、離型紙３３を剥がした部分２１ａを壁パネル１１（や胴縁１６ａ，１６ｂ）に貼り付けるようにしても良い。
【００２７】
ここで、ミシン目３２は、防水テープ２１を、先に（壁パネル１１に）貼り付ける部分２１ａと、後から貼り付ける部分２１ｂとに分けられるように、部分２１ａと部分２１ｂとの境界線の位置に予め設けておく。
【００２８】
（３）図４に示すように、外装材２２は、玄関ドア取付開口部１５に対し開口縁部２２ａを外側へズラした状態で壁パネル１１に取付けるようにしても良い。
【００２９】
ここで、外装材２２は、玄関ドア取付開口部１５の位置に開口縁部２２ａ，２２ｂを有するものとなる。このうち、開口縁部２２ａは、玄関ドア取付開口部１５の左右に位置する縦材１５ａや胴縁１６ａと対応する縦方向の縁部である。開口縁部２２ｂは、玄関ドア取付開口部１５の横材１５ｂや胴縁１６ｂと対応する横方向の縁部である。
【００３０】
そして、図４（ｂ）に示すように、外装材２２の縦方向の開口縁部２２ａを、玄関ドア取付開口部１５の縦材１５ａ（または縦材１５ａに取付けられた面材１３や胴縁１６ａ）の内側面に対して、（壁パネル１１の面方向の）外側へ位置をズラして設けるようにする（位置ズレ部）。玄関ドア取付開口部１５の縦材１５ａに対する開口縁部２２ａの位置ズレ量４１は、後述するように、比較的僅かな量で良い。
【００３１】
また、外装材２２の横方向の開口縁部２２ｂについては、位置ズレ部は設けても良いし、または、設けなくても良い。図４（ａ）では、縦方向の開口縁部２２ａの位置ズレ量４１よりも大きな位置ズレ量４２を有する位置ズレ部を設けるようにしている。
【００３２】
（４）図５に示すように、玄関ドア取付開口部１５の下部に位置する壁パネル１１の床根太１２ａ（図１参照）を切断する（切断線５１）。その後、図６に示すように、玄関ドア取付開口部１５に壁パネル１１と面一となるように玄関枠取付部材５２を取付ける。そして、図７に示すように、玄関枠取付部材５２に対し、防水テープ２１の残りの部分２１ｂを壁パネル１１に貼り付けた部分２１ａと面一に貼り付けるようにする。
【００３３】
ここで、床根太１２ａは、上記したように壁パネル１１を構成する枠材１２のうち下側に位置するものであり、玄関ドア取付開口部１５の下部を構成している。床根太１２ａの切断は、壁パネル１１を垂直に立たせて建物ユニットを組み立て可能な状態にした後、または、建物ユニットを組み立てた後などに行うことができる。
【００３４】
床根太１２ａの切断には、ノコギリなどの切断工具を用いることができる。この際、上記したように、玄関ドア取付開口部１５における縦材１５ａと、外装材２２の開口縁部２２ａとの間に所要の位置ズレ量４１を設定したのは、ノコギリによる防水テープ２１の損傷を防止するためである。位置ズレ量４１は、ノコギリの逃げ代となるだけの大きさがあれば良く、少なくともノコギリの厚みに僅かな余裕代を加えた程度、例えば、３ｍｍ程度などとすることができる。但し、位置ズレ量４１の具体的な数値については、上記に限るものではない。
【００３５】
床根太１２ａを切断する際には、図５に示すように、防水テープ２１の残りの部分２１ｂを外装材２２の側へ折り返して外装材２２に養生テープ５５などで仮止めしておくのが作業を効率的に行う上で好ましい。床根太１２ａの切断は、防水テープ２１を損傷しないように慎重に行うようにする。
【００３６】
玄関枠取付部材５２は、図６に示すように、直交する２つの面５２ａ，５２ｂを有する金属製のアングル材などとすることができる。玄関枠取付部材５２は、玄関ドア取付開口部１５の左右に位置する縦材１５ａの内側面およびこれと面一な面材１３や胴縁１６ａの縁部に沿って取付けられる。
【００３７】
玄関枠取付部材５２の上記した面５２ａ，５２ｂは、壁パネル１１の面材１３または胴縁１６ａの外表面と面一に設置される第一の面５２ａと、玄関ドア取付開口部１５の縦材１５ａの内側面などに当接され、木ネジなどの固定具５６（図７）を用いて玄関ドア取付開口部１５の内方からほほ面直に固定される第二の面５２ｂとで構成されている。第一の面５２ａには、後述する玄関枠５８を取付けるためのネジ孔５２ｃ，５２ｄが上下方向に所要の間隔を有して設けられている。ネジ孔５２ｃ，５２ｄは、上下方向または左右方向へ延びる長孔などとしても良い。ネジ孔５２ｃ，５２ｄは、左右の玄関枠取付部材５２の取付位置を間違えないように互いに向きの異なる長孔などとしても良い。
【００３８】
この際、玄関枠取付部材５２（の第一の面５２ａ）を壁パネル１１の面材１３や胴縁１６ａの外表面と面一に設置するために、例えば、図８に示すように、当板５７などを用いて位置出しを行っても良い。当板５７は、玄関ドア取付開口部１５の横材１５ｂ部分の面材１３や胴縁１６ｂの外表面に当てることで玄関枠取付部材５２（の第一の面５２ａ）の位置出しを行うものとしている。
【００３９】
そのために、外装材２２の横方向の開口縁部２２ｂの上方への位置ズレ量４２（図４）を、当板５７を当てられる程度またはそれ以上の大きさなどにしている。そして、玄関枠取付部材５２を玄関ドア取付開口部１５の縦材１５ａに面を揃えて固定した後で、図７に示すように、防水テープ２１の残りの部分２１ｂを玄関枠取付部材５２の第一の面５２ａの外表面に貼り付けるようにする。
【００４０】
そして、図９に示すように、玄関ドア取付開口部１５に壁パネル１１の外表面側（屋外側）から玄関枠５８を嵌め込む。玄関枠５８は、縦枠部５８ａや横枠部５８ｂなどで構成された矩形枠となっている。
【００４１】
更に、図１０に示すように、玄関枠取付部材５２の第一の面５２ａの外表面側に玄関枠５８の縦枠部５８ａを設置して、玄関枠取付部材５２の第一の面５２ａの外表面と玄関枠５８の縦枠部５８ａとの間で防水テープ２１の第一の面５２ａに貼り付けられた部分２１ｂを挟み込み、ビスなどの固定部材５９やワッシャおよびスプリングワッシャなどを用いて裏側（屋内側）から第一の面５２ａに縦枠部５８ａを固定する。
【００４２】
縦枠部５８ａは、玄関枠取付部材５２の第一の面５２ａの外表面に当接固定される横面部５８ｃと、この横面部５８ｃの（玄関ドア取付開口部１５の内側の）縁部から玄関ドア取付開口部１５の内方（屋内側）へ向かって延びる縦面部５８ｄとで構成されている。なお、横面部５８ｃおよび縦面部５８ｄは、それぞれ矩形状の断面を有する中空材などで構成されている。
【００４３】
最後に、図１１に示すように、壁パネル１１の裏面側（屋内側）から玄関ドア取付開口部１５内に玄関枠５８の屋内側の部分６１などを取付けて、玄関枠５８に玄関ドア６２を開閉可能に取付けることで、建物ユニット（を構成する壁パネル１１）に玄関が設置される。
【００４４】
なお、玄関枠５８の屋内側の部分６１と玄関ドア取付開口部１５の縦材１５ａとの間には、グラスウールなどの断熱材６５を設置することができる。また、外装材２２（の開口縁部２２ａ）と玄関枠５８の縦枠部５８ａとの間の隙間（目地部）には、変性シリコーンなどのコーキング材６６を充填する。そして、コーキング材６６および外装材２２（の壁パネル１１に対する木ネジなどによる固定部分）の間をカバー部材６７などで覆う。コーキング材６６およびカバー部材６７は、建築現場で施工する。
【００４５】
更に、図１２に示すように、防水テープ２１とコーキング材６６との間の層には、必要に応じて、追加のシール構造を設けるようにしても良い。例えば、防水テープ２１の部分２１ａと外装材２２の内面などとの間には、エプトシーラーブチルなどの止水材６８を設けても良い。また、防水テープ２１の部分２１ｂと玄関枠５８の横面部５８ｃの内面などとの間には、ブチルテープなどの止水材６９を設けても良い。更に、コーキング材６６を充填する目地部の奥部には、エプトシーラーブチルなどの止水材７０を設けても良い。これらの止水材６８〜７０は、工場にて外装材２２や玄関枠取付部材５２を取付ける時に施工する。止水材６８，６９は、例えば、外装材２２の内面や横面部５８ｃの内面などに取付けておくことができる。なお、追加のシール構造については、上記に限るものではない。
【００４６】
（５）以下、玄関枠取付部構造について説明する。玄関枠取付部構造は、図１１に示すように、玄関ドア取付開口部１５を有する壁パネル１１に、玄関ドア取付開口部１５を残して外装材２２が取付けられ、外装材２２が取付けられた壁パネル１１の玄関ドア取付開口部１５に玄関枠取付部材５２が防水状態で取付けられたものとなる。更に、上記した玄関枠取付部の防水施工方法によって製造された玄関枠取付部構造は、以下のようなものとなる。
【００４７】
即ち、壁パネル１１に、玄関ドア取付開口部１５の内側へ、その一部がハミ出すように防水テープ２１が貼り付けられる。防水テープ２１の壁パネル１１に貼り付けた部分２１ａが外装材２２で覆い隠される。玄関ドア取付開口部１５に壁パネル１１と面一な面５２ａを有する玄関枠取付部材５２が取付けられる。玄関枠取付部材５２に防水テープ２１の残りの部分２１ｂが壁パネル１１に貼り付けた部分２１ａと面一に貼り付けられる。
【００４８】
ここで、防水テープ２１には、幅方向３１に分割可能なミシン目３２を有する離型紙３３が貼着されたものを使用して、ミシン目３２を境にして、片側の部分２１ａを壁パネル１１に貼り付け、反対側の部分２１ｂを玄関枠取付部材５２の面５２ａに貼り付けるようにしても良い。また、外装材２２は、玄関ドア取付開口部１５に対し開口縁部２２ａを外側へズラした状態で壁パネル１１に取付けても良い。
【００４９】
＜作用＞この実施例の作用は、以下の通りである。
【００５０】
建物に玄関を設ける。この玄関を、玄関枠５８に玄関ドア６２を開閉可能に取付けたものとする。玄関枠５８は玄関枠取付部材５２を用いて建物の壁に取付ける。このような玄関における玄関枠５８や玄関枠取付部材５２の周辺に対して防水を施す。
【００５１】
建物は、例えば、複数の木質系の建物ユニットを組み合わせて構築されるユニット建物などとすることができる。木質系の建物ユニットは、天井パネルと床パネルと壁パネル１１とを組み合わせて構成される。玄関は、建物ユニットの壁パネル１１に設けられる。
【００５２】
そして、この実施例では、玄関枠取付部分の防水構造は、防水テープ２１の面材１３または（面材１３に取付けた）胴縁１６ａに貼り付けられた部分２１ａが、壁パネル１１と外装材２２との重なり部分の内側に隠されると共に、壁パネル１１の面材１３または胴縁１６ａと玄関枠取付部材５２の第一の面５２ａとによって形成される平らな面間に、防水テープ２１が平らな状態で面一に貼り付けられたものとなる。そして、この平らに貼り付けられた防水テープ２１によって、広い範囲でシールが行われ、外部から外装材２２と玄関枠取付部材５２との間への雨水などの浸入が防止される。
【００５３】
＜効果＞この実施例によれば、以下のような作用効果を得ることができる。
【００５４】
（効果１）壁パネル１１における玄関ドア取付開口部１５の周辺に防水テープ２１の一部を貼り付けた状態にし、壁パネル１１に外装材２２を取付けて、外装材２２で防水テープ２１の壁パネル１１に貼り付けた部分２１ａを覆い隠すようにする。これにより、壁パネル１１と外装材２２との重なり部分の内側に防水テープ２１を設置することができるようになり、防水テープ２１を外部から目立たず構造的に邪魔にならないように設ける（重なり部分の内側に予め仕込む）ことが可能になる。
【００５５】
そして、壁パネル１１と外装材２２との重なり部分の内側に防水テープ２１を設置することで、後述するように、防水テープ２１を壁パネル１１と外装材２２との重なり部分の内側と外側とに跨る広い範囲に設けることができるようになるため、玄関ドア取付開口部１５の周辺のシール性能を向上することなどが可能になり、構造的に有利なものとなる。
【００５６】
（効果２）防水テープ２１は、ミシン目３２の片側の離型紙３３を剥がした状態で壁パネル１１に貼り付けるようにしても良い。これにより、防水テープ２１は、最初に玄関ドア取付開口部１５の周辺に貼り付ける部分２１ａのみ離型紙３３を剥がして粘着層を露出させることができ、残った離型紙３３をガイドにすることなどで、防水テープ２１を容易且つ精度良く、また、強固に壁パネル１１（の玄関ドア取付開口部１５の周辺）に貼り付けることができる。そして、防水テープ２１は、ミシン目３２の片側に離型紙３３を残したままの状態で、壁パネル１１と外装材２２との重なり部分の内側に設置しておくことが可能になる。
【００５７】
また、玄関ドア取付開口部１５の周辺に貼り付けなかった部分２１ｂについては、離型紙３３を剥がさずに残しておくことで粘着力を保持することができる。そのため、後工程で、壁パネル１１と外装材２２との重なり部分の外側、例えば、玄関枠取付部材５２などに貼り付ける直前に、離型紙３３を剥がすことで、防水テープ２１は、粘着力が最も強い状態で玄関枠取付部材５２などへ確実に貼り付けることが可能になる。
【００５８】
（効果３）外装材２２は、縦方向の開口縁部２２ａを玄関ドア取付開口部１５の外側へズラした状態で壁パネル１１に取付けても良い。これにより、後工程で、玄関ドア取付開口部１５の下部に位置する床根太１２ａを切断する際などに、切断用のノコギリの歯が、防水テープ２１の（玄関ドア取付開口部１５の内側へ）ハミ出した部分２１ｂを損傷しないようにすることができる。
【００５９】
また、外装材２２は、横方向の開口縁部２２ｂを玄関ドア取付開口部１５の外側（上側）へズラした状態で壁パネル１１に取付けても良い。これにより、例えば、玄関ドア取付開口部１５に玄関枠取付部材５２を面一状態で取付けるなどの際に、玄関枠取付部材５２の位置出しを行うための当板５７を当てる部位を壁パネル１１に確保することができる。
【００６０】
（効果４）玄関ドア取付開口部１５の下部に位置する壁パネル１１の床根太１２ａを切断した後で、玄関ドア取付開口部１５に壁パネル１１と面一となるように玄関枠取付部材５２を取付けて、玄関枠取付部材５２に防水テープ２１の残りの部分２１ｂを、壁パネル１１に先に貼り付けた部分２１ａと面一に貼り付けるようにしても良い。具体的には、壁パネル１１の外表面と玄関枠取付部材５２の第一の面５２ａとを面一にして、防水テープ２１の残りの部分２１ｂを玄関枠取付部材５２の第一の面５２ａに貼り付けるようにする。これにより、防水テープ２１を玄関枠取付部材５２と壁パネル１１とによって形成される平らな面間に平らに施工することが可能になる。
【００６１】
よって、例えば、防水テープ２１を凹凸のある面間に貼り付けた場合などと比べて防水テープ２１を容易に貼り付けることができると共に、玄関枠取付部材５２と外装材２２との間から浸水が生じないように防水テープ２１をシワや浮きなどの貼着不良（シール不良）のないきれいな状態に貼り付けることができる。その結果、防水テープ２１による防水部分を、構造が簡単で、施工がし易く、しかも、貼り上がり状態が美しく防水効果の高いものに仕上げることが可能になる。
【００６２】
そして、このように、防水テープ２１を平らな面間に平らな状態で貼り付けられるようにすることで、広い範囲に対して防水テープ２１を貼り付けることが容易になり、シール範囲を広げることができる。また、平らな状態で貼り付けた防水テープ２１は場所を取らないので、例えば、別の防水構造を重ねて設けること（例えば、コーキング材６６やカバー部材６７や止水材６８〜７０などによるシール構造の多重化）や、例えば、玄関枠５８や玄関枠５８の屋内側の部分６１などの周辺部品の設計自由度を上げることなども可能であり、構造的に有利である。
【００６３】
更に、建物がユニット建物である場合に、壁パネル１１の床根太１２ａを切断して玄関ドア取付開口部１５に玄関枠取付部材５２を取付けることで、工場内で建物ユニットに玄関を取付けることが可能となり、予め玄関が取付けられた建物ユニットを工場から出荷することができるようになる。よって、工場段階での建物ユニットの完成度を上げ、建築現場での作業を軽減して、建物の工期を短縮することなどができる。
【００６４】
（効果５）玄関枠取付部構造によれば、壁パネル１１に、玄関ドア取付開口部１５の内側へ一部がハミ出すように防水テープ２１が貼り付けられ、防水テープ２１の壁パネル１１に貼り付けた部分２１ａが外装材２２で覆い隠され、玄関ドア取付開口部１５に壁パネル１１と面一な面５２ａを有する玄関枠取付部材５２が取付けられ、玄関枠取付部材５２に防水テープ２１の残りの部分２１ｂが壁パネル１１に貼り付けた部分２１ａと面一に貼り付けられていることによって、上記した玄関枠取付部の防水施工方法と同様の効果を得ることができる。
【００６５】
以上、この発明の実施の形態を図面により詳述してきたが、実施の形態はこの発明の例示にしか過ぎないものである。よって、この発明は実施の形態の構成にのみ限定されるものではなく、この発明の要旨を逸脱しない範囲の設計の変更等があってもこの発明に含まれることは勿論である。また、例えば、各実施の形態に複数の構成が含まれている場合には、特に記載がなくとも、これらの構成の可能な組合せが含まれることは勿論である。また、実施の形態に複数の実施例や変形例がこの発明のものとして開示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【００６６】
１１    壁パネル
１２ａ  床根太
１５    玄関ドア取付開口部
２１    防水テープ
２１ａ  （防水テープの先に貼る）部分
２１ｂ  （防水テープの後から貼る）部分
２２    外装材
２２ａ  開口縁部
２２ｂ  開口縁部
３１    幅方向
３２    ミシン目
３３    離型紙
５２    玄関枠取付部材
５２ａ  面
【図１】
2019035303.tif 000003
【図２】
2019035303.tif 000004
【図３】
2019035303.tif 000005
【図４】
2019035303.tif 000006
【図５】
2019035303.tif 000007
【図６】
2019035303.tif 000008
【図７】
2019035303.tif 000009
【図８】
2019035303.tif 000010
【図９】
2019035303.tif 000011
【図１０】
2019035303.tif 000012
【図１１】
2019035303.tif 000013
【図１２】
2019035303.tif 000014